(57)【要約】【課題】  消費電力の低減を図りながら、鮮明な画像を送信することができる街路灯用の照明器具を提供する。【解決手段】  街路灯用の照明器具は、太陽光により電力を発生するソーラーパネルからの供給電力を充電するバッテリ（ＢＡＴ）と、バッテリからの電力により、光を照射する照明ユニット（１０）と、バッテリからの電力により、高解像度と該高解像度よりも低い低解像度と撮影を切り替えて撮影するカメラ（５０）と、照明ユニットに近傍に配置され、動体物を感知する動体物感知センサ（ＭＤＳ）と、カメラ及び動体物感知センサに接続された制御部（２１）と、を備える。そして、動体物感知センサから動体物の動き感知した信号がない場合には、制御部は、カメラに低解像度の撮影を指令し、動体物感知センサが動体物の動きを感知した信号を受信した際に、制御部は、カメラに高解像度の撮影を指令する。【選択図】  図２
2020129492.tif 000002
【特許請求の範囲】
【請求項１】
太陽光により電力を発生するソーラーパネルからの供給電力を充電するバッテリと、
前記バッテリからの電力により、光を照射する照明ユニットと、
前記バッテリからの電力により、高解像度と該高解像度よりも低い低解像度と撮影を切り替えて撮影するカメラと、
前記照明ユニットに近傍に配置され、動体物を感知する動体物感知センサと、
前記カメラ及び前記動体物感知センサに接続された制御部と、を備え、
前記動体物感知センサから前記動体物の動き感知した信号がない場合には、前記制御部は、前記カメラに前記低解像度の撮影を指令し、
前記動体物感知センサが動体物の動きを感知した信号を受信した際に、前記制御部は、前記カメラに前記高解像度の撮影を指令する、
街路灯用の照明器具。
【請求項２】
前記ソーラーパネルと前記バッテリとの間に配置され、前記制御部に接続されて前記バッテリの充電量を管理するソーラー充電回路を備え、
前記照明ユニットは、第１光量の光及び前記第１光量よりも小さい第２光量の光を照射することができ、
前記ソーラー充電回路から前記バッテリの充電量が第１基準値よりも小さい信号を受信した際に、前記制御部は、前記照明ユニットに前記第２光量の光を照射するように指令するとともに前記カメラに前記低解像度の撮影を指令し、
前記バッテリの充電量が前記第１基準値よりも小さい状態で前記動体物感知センサが動体物の動きを感知した信号を受信した際に、前記制御部は前記照明ユニットに前記第１光量の光を照射するように指令するとともに前記カメラに前記高解像度の撮影を指令する、
請求項１に記載の街路灯用の照明器具。
【請求項３】
前記カメラは、異常イベントを検知する検知機能を有しており、
前記カメラが撮影した画像に基づいて前記異常イベントを検知したい際に、前記カメラが前記高解像度の撮影の単位時間当たりの撮影枚数を増やす
請求項１又は請求項２に記載の街路灯用の照明器具。
【請求項４】
さらにサーバに通信回線を介して通信する通信部を備え、
前記通信部は、前記カメラが撮影した前記高解像度又は前記高解像度の画像をサーバに送信する、
請求項１から請求項３のいずれか一項に記載の街路灯用の照明器具。
【請求項５】
前記照明ユニットは、光を照射する第１時間帯と光を照射しない第２時間帯とを有しており、
前記第１基準値は、前記バッテリのフル充電容量に対する値が、前記第１時間帯と前記第２時間帯とで異なる
請求項２に記載の街路灯用の照明器具。
【請求項６】
太陽光により電力を発生するソーラーパネルからの供給電力を充電するバッテリと、
前記ソーラーパネルと前記バッテリとの間に配置され、前記制御部に接続されて前記バッテリの充電量を管理するソーラー充電回路と、
前記バッテリからの電力により、第１光量の光及び前記第１光量よりも小さい第２光量の光を照射する照明ユニットと、
前記バッテリからの電力により、高解像度と該高解像度よりも低い低解像度と撮影を切り替えて撮影するカメラと、
前記カメラ及び前記ソーラー充電回路に接続された制御部と、を備え、
前記ソーラー充電回路から前記バッテリの充電量が第１基準値よりも小さく第２基準より大きい信号を受信した際に、前記制御部は、前記照明ユニットに前記第２光量の光を照射するように指令するとともに前記カメラに前記低解像度の撮影を指令し、
前記ソーラー充電回路から前記バッテリの充電量が第１基準値よりも多い信号を受信した際に、前記制御部は、前記照明ユニットに前記第１光量の光を照射するように指令するとともに前記カメラに前記高解像度の撮影を指令する、
街路灯用の照明器具。
【請求項７】
さらにサーバに通信回線を介して通信する通信部を備え、
前記通信部は、前記カメラが撮影した前記高解像度又は前記高解像度の画像をサーバに送信する、
請求項６に記載の街路灯用の照明器具。
【請求項８】
前記ソーラー充電回路から前記バッテリの充電量が前記第２基準値より小さい信号を受信した際に、前記制御部は、前記照明ユニットに前記第２光量の光を照射するように指令するとともに前記カメラに前記低解像度の撮影を指令し、且つ前記通信部に前記画像の送信を停止させる
請求項７に記載の街路灯用の照明器具。
【請求項９】
さらに動体物を感知する動体物感知センサを備え、
前記バッテリの充電量が前記第１基準値よりも小さく前記第２基準より大きい信号を受信した状態で前記動体物感知センサが動体物の動きを感知した信号を受信した際に、前記制御部は前記照明ユニットに前記第１光量の光を照射するように指令するとともに前記カメラに前記高解像度の撮影を指令する、
請求項６又は請求項７に記載の街路灯用の照明器具。
【請求項１０】
さらに動体物を感知する動体物感知センサを備え、
前記バッテリの充電量が前記第２基準値よりも小さい信号を受信した状態で前記動体物感知センサが動体物の動きを感知した信号を受信した際に、前記制御部は前記照明ユニットに前記第１光量の光を照射するように指令するとともに前記カメラに前記高解像度の撮影を指令する、
請求項８に記載の街路灯用の照明器具。
【請求項１１】
街路灯用の第１照明器具及び該第１照明器具から所定範囲に配置される街路灯用の第２照明器具のシステムであって、
前記第１照明器具及び前記第２照明器具は、
太陽光により電力を発生するソーラーパネルからの供給電力を充電するバッテリと、
前記バッテリからの電力により、光を照射する照明ユニットと、
前記バッテリからの電力により、高解像度と該高解像度よりも低い低解像度と撮影を切り替えて撮影し、且つ撮影した画像に基づいて異常イベントを検知する検知機能を有するカメラと、
前記カメラに接続された制御部と、を備え、
前記第１照明器具のカメラが、前記異常イベントを検知したい際に前記異常イベントを前記第２照明器具に送信し、
前記第１照明器具の照明ユニット及び前記第２照明器具の照明ユニットが、異常を知らせる光を照射する街路灯用の照明器具システム。
【請求項１２】
前記第１照明器具及び前記第２照明器具は、さらに音を発生する音発生部を備え、
前記第１照明器具の照明ユニット及び前記第２照明器具の照明ユニットが、異常を知らせる光を照射する際に、前記第１照明器具の音発生部及び前記第２照明器具の音発生部が、異常を知らせる音を発生する請求項１１に記載の街路灯用の照明器具システム。
【発明の詳細な説明】
【技術分野】
【０００１】
本発明は、支柱等に取り付けられる街路灯用の照明器具に関し、特にソーラーパネルを有する街路灯用の照明器具に関する
【背景技術】
【０００２】
ソーラーパネルを用いた街路灯は、電源ケーブル等が不要になる等のメリットがある。例えば特許文献１の街路灯用の照明器具は、動画像や静止画像を撮影するカメラ及び無線ＬＡＮを有している。これによって街路灯用の照明器具は防犯監視している。また街路灯用の照明器具は、ソーラーパネルによって駆動されるため消費電力の低減が望まれることから、常時、通信可能な状態になっている通信モードと、通信不可能な状態の省電力モードとの２つのモードに、バッテリの充電状況で切り替えられている。
【先行技術文献】
【特許文献】
【０００３】
【特許文献１】特開２０１３−２４２９６５号公報
【発明の概要】
【０００４】
しかしながら、消費電力の低減が望まれていても、防犯監視のためには必要に応じて、カメラの画像を送信することが望まれる。また防犯監視であるため、消費電力の低減が望まれていても、カメラはできるだけ鮮明な画像を撮影することが望まれる。
【０００５】
そこで本発明は、上記課題を解決するため、消費電力の低減を図りながら、鮮明な画像を送信することができる街路灯用の照明器具を提供する。
【課題を解決するための手段】
【０００６】
本実施形態の街路灯用の照明器具は、太陽光により電力を発生するソーラーパネルからの供給電力を充電するバッテリと、バッテリからの電力により、光を照射する照明ユニットと、バッテリからの電力により、高解像度と該高解像度よりも低い低解像度と撮影を切り替えて撮影するカメラと、照明ユニットに近傍に配置され、動体物を感知する動体物感知センサと、カメラ及び動体物感知センサに接続された制御部と、を備える。そして、動体物感知センサから動体物の動き感知した信号がない場合には、制御部は、カメラに低解像度の撮影を指令し、動体物感知センサが動体物の動きを感知した信号を受信した際に、制御部は、カメラに高解像度の撮影を指令する。
【０００７】
さらに照明器具は、ソーラーパネルとバッテリとの間に配置され、制御部に接続されてバッテリの充電量を管理するソーラー充電回路を備えてもよい。この照明ユニットは、第１光量の光及び第１光量よりも小さい第２光量の光を照射することができ、ソーラー充電回路からバッテリの充電量が第１基準値よりも小さい信号を受信した際に、制御部は、照明ユニットに第２光量の光を照射するように指令するとともにカメラに低解像度の撮影を指令する。またバッテリの充電量が第１基準値よりも小さい状態で動体物感知センサが動体物の動きを感知した信号を受信した際に、制御部は照明ユニットに第１光量の光を照射するように指令するとともにカメラに高解像度の撮影を指令する。
【０００８】
本実施形態では、カメラが異常イベントを検知する検知機能を有していることが好ましい。そしてカメラが撮影した画像に基づいて異常イベントを検知したい際に、カメラが高解像度の撮影の単位時間当たりの撮影枚数を増やすことが好ましい。
さらにサーバに通信回線を介して通信する通信部を備えていることが好ましい。通信部は、カメラが撮影した高解像度又は高解像度の画像をサーバに送信することができる。
照明ユニットは、光を照射する第１時間帯と光を照射しない第２時間帯とを有しており、第１基準値は、バッテリのフル充電容量に対する値が、第１時間帯と第２時間帯とで異なることが好ましい。
【０００９】
本実施形態の街路灯用の照明器具は、太陽光により電力を発生するソーラーパネルからの供給電力を充電するバッテリと、ソーラーパネルとバッテリとの間に配置され、制御部に接続されてバッテリの充電量を管理するソーラー充電回路と、バッテリからの電力により、第１光量の光及び第１光量よりも小さい第２光量の光を照射する照明ユニットと、バッテリからの電力により、高解像度と該高解像度よりも低い低解像度と撮影を切り替えて撮影するカメラと、カメラ及びソーラー充電回路に接続された制御部と、を備える。そしてソーラー充電回路からバッテリの充電量が第１基準値よりも小さく第２基準より大きい信号を受信した際に、制御部は、照明ユニットに第２光量の光を照射するように指令するとともにカメラに低解像度の撮影を指令する。またソーラー充電回路からバッテリの充電量が第１基準値よりも多い信号を受信した際に、制御部は、照明ユニットに第１光量の光を照射するように指令するとともにカメラに高解像度の撮影を指令する。
【００１０】
照明器具はさらにサーバに通信回線を介して通信する通信部を備えることが好ましい。そして通信部は、カメラが撮影した高解像度又は高解像度の画像をサーバに送信することが好ましい。
またソーラー充電回路からバッテリの充電量が第２基準値より小さい信号を受信した際に、制御部は、照明ユニットに第２光量の光を照射するように指令するとともにカメラに低解像度の撮影を指令し、且つ通信部に画像の送信を停止させることが好ましい。
【００１１】
照明器具はさらに動体物を感知する動体物感知センサを備えることが好ましい。バッテリの充電量が第１基準値よりも小さく第２基準より大きい信号を受信した状態で動体物感知センサが動体物の動きを感知した信号を受信した際に、制御部は照明ユニットに第１光量の光を照射するように指令するとともにカメラに高解像度の撮影を指令してもよい。
【００１２】
照明器具はさらに動体物を感知する動体物感知センサを備えることが好ましい。そしてバッテリの充電量が第２基準値よりも小さい信号を受信した状態で動体物感知センサが動体物の動きを感知した信号を受信した際に、制御部は照明ユニットに第１光量の光を照射するように指令するとともにカメラに高解像度の撮影を指令しても良い。
【００１３】
本実施形態のシステムの一例は、街路灯用の第１照明器具及び該第１照明器具から所定範囲に配置される街路灯用の第２照明器具のシステムである。第１照明器具及び第２照明器具は、太陽光により電力を発生するソーラーパネルからの供給電力を充電するバッテリと、バッテリからの電力により、光を照射する照明ユニットと、バッテリからの電力により、高解像度と該高解像度よりも低い低解像度と撮影を切り替えて撮影し、且つ撮影した画像に基づいて異常イベントを検知する検知機能を有するカメラと、カメラに接続された制御部と、を備えている。そして、第１照明器具のカメラが、異常イベントを検知したい際に異常イベントを第２照明器具に送信し、第１照明器具の照明ユニット及び第２照明器具の照明ユニットが、異常を知らせる光を照射する。
【００１４】
第１照明器具及び第２照明器具は、さらに音を発生する音発生部を備えることが好ましい。第１照明器具の照明ユニット及び第２照明器具の照明ユニットが、異常を知らせる光を照射する際に、第１照明器具の音発生部及び第２照明器具の音発生部が、異常を知らせる音を発生することが好ましい。
【発明の効果】
【００１５】
本発明の街路灯用の照明器具は、消費電力の低減を図りながら、鮮明な画像を送信することができる。
【図面の簡単な説明】
【００１６】
【図１】街路灯用の照明器具の斜視図である。
【図２】街路灯用の照明器具のブロック図である。
【図３】複数の街路灯用の照明器具、サーバ及び携帯端末の通信概念を示した図である。
【図４】照明ユニット１０の点灯方法に関するフローチャートである。
【図５】第１の照明器具１００が異常イベントを検知し、第２の照明器具１００に異常イベントが発生したことを通知するフローチャートである。
【図６】昼間の時間帯に、バッテリの充電容量に基づいて、どのように監視カメラ５０等が動作するかを説明したフローチャートである。
【図７】夜間の時間帯に、バッテリの充電容量に基づいて、どのように監視カメラ５０等が動作するかを説明したフローチャートである。
【発明を実施するための形態】
【００１７】
本発明の実施形態に係る街路灯用の照明器具について説明する。以下の実施形態において、照明器具は、一般道又は高速道路等に配置される街路灯用の照明器具として説明する。なお、説明に用いる各図はこれら発明を理解できる程度に概略的に示してあり、大きさ、角度又は厚み等は誇張して描いている。また説明に用いる各図において、同様な構成成分については同一の番号を付して示し、その説明を省略する場合もある。
【００１８】
＜照明器具の概略＞
街路灯用の照明器具１００は、屋外の壁や柱に取り付けられて、一般道などを照らす街路灯の役目を果たす。照明器具１００は、例えば６ｍ幅の道路に２０〜５００ｍ間隔で配置される。図１に示すように、街路灯用の照明器具１００は、本体カバー９５の下側（−Ｚ軸側）に配置された照明ユニット１０と、本体カバー９５の下側に配置された制御ユニット２０と、本体カバー９５の上側（＋Ｚ軸側）に配置された太陽光により電力を発生させるソーラーパネル３０（図２を参照）と、本体カバー９５の下側に配置された監視カメラ５０と、ＬｏＲａアンテナ６０とを備えている。制御ユニット２０の筐体には、支柱に対して本体カバー９５の傾きを変える角度調整部９０が設けられている。なお本体カバー９５は、風雨に耐えられるようにアルミニウム合金等で形成されている。
【００１９】
また街路灯用の照明器具１００は、光の光量が増えると電気抵抗が下がるフォトレジスタＣＤＳと、人間や車両等の接近又はこれらが静止した状態からの動きを感知する動体物感知センサＭＤＳとが本体カバー９５の下側に有していてもよい。そして照明器具１００は、制御ユニット２０の筐体に設けられた角度調整部９０を介して、支柱（不図示）又は壁に固定される。支柱又は壁は、たとえばその内部に交流１００Ｖ用の電線（図２の外部電源ＡＣ）を挿通可能に構成されていてもよい。
【００２０】
１つの照明ユニット１０は、例えば消費電力１５Ｗであり、例えば三段階調光可能なＬＥＤ調光部２７（図２を参照）が採用されている。図１では照明ユニット１０が２つ配置され３０Ｗの照明になっているが、配置地域や用途に応じて、照明ユニット１０を１つ（１５Ｗ）にしたり３以上（４５Ｗ，６０Ｗ……）にしたりしてもよい。照明ユニット１０は、支柱に取り付けられる角度調整部９０を基準にして前方（＋Ｘ軸方向）で且つ下方（−Ｚ軸方向）を照らすように構成されている。上述した角度調整部９０が支柱に対して９０度に取り付けられていても、照明ユニット１０から照射される光の大半は支柱に対して前方（＋Ｘ軸方向）に向けられ、光は後方（−Ｘ軸方向）にはあまり届かない。なお図１では、照明ユニット１０は防水カバーが取り外された状態で描かれている。
【００２１】
監視カメラ５０は、半球形の防水カバー内に広角レンズを有した例えば１０００万画素のデジタルカメラである。監視カメラ５０は、例えば１０００万画素の高画質の撮影と３００万画素の低画質の撮影とを切り替えることができ、さらに静止画像を撮影する撮影周期を可変したり、静止画像の撮影から動画像の撮影に変更したりできる。
【００２２】
ＬｏＲａアンテナ６０は、基地局と通信するため、ＬＰＷＡＮ（Ｌｏｗ  Ｐｏｗｅｒ  Ｗｉｄｅ  Ａｒｅａ  Ｎｅｔｗｏｒｋ）技術を用いて通信する際に使われるアンテナである。「ＬＰＷＡＮ」とは、低消費電力で広域無線通信を行うことができる技術であり、ＬｏＲａ通信は、ＬＰＷＡＮ技術の伝送技術の一種である。ＬｏＲａアンテナ６０は、監視カメラ５０が撮影した画像等を基地局に無線送信することができる。なお、本実施形態ではＬｏＲａ通信を前提とするが、これに限られず通信方式はどのようなものであってもよい。
【００２３】
フォトレジスタＣＤＳは、外部の明るさを検知して、その信号を出力する。フォトレジスタＣＤＳは、図１では照明ユニット１０の前側（＋Ｘ軸側）に配置されているが、後側（−Ｘ軸側）に配置されていてもよい。またフォトレジスタＣＤＳが設けられていなくても良く、この場合には制御部等が有するタイマ機能が、フォトレジスタＣＤＳを代用する。
【００２４】
動体物感知センサＭＤＳは、超音波や赤外線を使って人間もしくは車両等の接近や動作を感知する。動体物感知センサＭＤＳは、図１では照明ユニット１０の前側（＋Ｘ軸側）近傍に配置されているが、照明ユニット１０の後側（−Ｘ軸側）近傍に配置されていてもよい。人間もしくは車両等を感知し易い位置であれば、照明ユニット１０の近傍の本体カバー９５のどの位置に動体物感知センサＭＤＳが取り付けられてもよい。
【００２５】
本体カバー９５上側（＋Ｚ軸側）ソーラーパネル３０（不図示）は、パネル表面に複数のセルが並列された太陽電池モジュールを含んでいる。太陽電池モジュールは、パネルの両面にセルが設けられた両面受光型を採用することが好ましいが、太陽電池モジュールは、パネルの片面にセルが設けられた片面受光型であってもよい。
【００２６】
＜制御ユニットの概略＞
次に図２を使って制御ユニット２０を説明する。図２は街路灯用の照明器具のブロック図であり、図２において、一点鎖線で囲まれている範囲が制御ユニット２０である。制御ユニット２０は、メイン制御部２１、ソーラー充電回路２３、ＡＣ／ＤＣ充電回路２５、ＬＥＤ調光部２７、記録媒体２８、通信部２９及びバッテリＢＡＴなどを有している。また図２において、二重線は電源を供給する電源線を示しており、実線は指令又はデータなどの信号を送受信する信号線を示している。なお、ＬＥＤ調光部２７は制御ユニット２０内ではなく、照明ユニット１０の回路基板に設けられても良い。
【００２７】
メイン制御部２１は、実線である信号線で示されているように、フォトレジスタＣＤＳ及び動体物感知センサＭＤＳ、監視カメラ５０から信号を受け取る。またメイン制御部２１は、ソーラー充電回路２３、ＡＣ／ＤＣ充電回路２５、ＬＥＤ調光部２７、記録媒体２８、通信部２９、マイクＭＩＣ、スピーカＳＰ、及び監視カメラ５０に対して信号もしくはデータを送受信する。
【００２８】
バッテリＢＡＴは、鉛電池、リチウムイオン電池、リチウムリン酸鉄電池又は固体電池等が適用でき、本実施形態ではリチウムリン酸鉄電池を使用している。二重線である電源線で示されているように、バッテリＢＡＴは、ソーラーパネル３０又は外部電源ＡＣにより充電され、メイン制御部２１等へ給電する。
【００２９】
ソーラー充電回路２３は、停電が発生していない通常時においては、バッテリＢＡＴの充電量を管理し、バッテリＢＡＴの充電量がフル充電容量となるようにソーラーパネル３０からの供給電力で充電を行う。またソーラー充電回路２３は、過充電や高放電の防止機能を有しているとともに、制御部に定期的又は非定期的にメイン制御部２１にバッテリＢＡＴの充電量、例えば充電許容電圧（フル充電容量）に対する割合、例えば７５％を通知する。ソーラー充電回路２３は、メイン制御部２１からの信号を受信して、外部電源ＡＣよりもソーラーパネル３０からの供給電力を優先してバッテリに充電する。ソーラー充電回路２３は、日射量の増加と共にソーラーパネル３０で発生する出力電圧が上昇し、その出力電圧がバッテリＢＡＴのフル充電容量に達したとき、バッテリＢＡＴの回路との接続を切り離してバッテリＢＡＴへの給電を停止させるかあるいはその回路の短絡によってバッテリＢＡＴへの給電を停止させる。一方、監視カメラ５０及び通信部２９等が稼働しており、これらの直流負荷によってバッテリＢＡＴの充電量は徐々に低下し、この充電量がソーラー充電回路２３の基準値以下に達したとき、ソーラー充電回路２３は、バッテリＢＡＴへの充電を再開してもよい。
【００３０】
外部電源ＡＣは、例えば交流１００Ｖ等の商用電源であり、ソーラーパネルから得られる電流が少なくバッテリＢＡＴの充電状態が基準値より小さい場合に、外部電源ＡＣからバッテリＢＡＴに充電されてもよい。
【００３１】
ＡＣ／ＤＣ回路２５は、交流１００Ｖを直流に変換する回路である。またＡＣ／ＤＣ回路２５は、メイン制御部２１からの信号を受信して、ソーラーパネル３０からの供給電力が少なくバッテリＢＡＴの充電容量が基準値より小さくなった場合等に、バッテリＢＡＴを充電させる。特にバッテリＢＡＴの容量が大きい場合や、日照時間が長い地域の場合には、ＡＣ／ＤＣ回路２５は必ずしも必要ない。また外部電源ＡＣのインフラが整備されていない地域等には、ＡＣ／ＤＣ回路２５は不要であり、バッテリＢＡＴにはソーラーパネル３０からのみ充電されてもよい。
【００３２】
フォトレジスタＣＤＳは、外部の明るさの信号をメイン制御部２１に送信する。メイン制御部２１は、その信号に基づいて、外部が暗くなれば照明ユニット１０を自動点灯させ、明るくなれば自動消灯させるための信号をＬＥＤ調光部２７に送信できる。フォトレジスタＣＤＳがなくてもよいが、その際には基地局のサーバ３００（図３を参照）からの時間指定データを受信することにより、メイン制御部２１は、その時間指定データに基づいて照明ユニット１０を自動点灯させる。
【００３３】
動体物感知センサＭＤＳは、赤外線及び超音波等により人間もしくは車両等の接近又は移動を感知し、その感知した感知信号をメイン制御部２１に送信する。メイン制御部２１は、その感知信号に基づいて、照明ユニット１０がより明るくなるように調光する信号をＬＥＤ調光部２７に送信したりできる。またメイン制御部２１は、感知信号に応じて、静止画像の撮影枚数を増やしたりする信号、もしくは静止画像から動画像へと変更したりする信号を監視カメラ５０に送信できる。
【００３４】
ＬＥＤ調光部２７は、照明ユニット１０の明るさを調光できる。メイン制御部２１からの信号に基づいて、例えば、外部の明るさ、時間帯又はバッテリの残量に応じて、二段階、三段階、四段階等で調光することができる。
【００３５】
記憶媒体２８は、内蔵されるＳＳＤ、ハードディスクであってもよいし、着脱可能なＳＤカード等であってもよい。特に監視カメラ５０が撮影したデジタル画像を記憶したり、マイクＭＩＣの集音を記録したりする。また記録媒体２８は、後述する異常イベントの発生時に、異常イベントの発生を通知する端末ＣＰ（図３の）の電話番号もしくはメールアドレス等が登録されてもよい。
【００３６】
通信部２９は、クラウド又はオンプレミスなどの基地局サーバ３００（図３を参照）とＬｏＲａアンテナ６０を使って通信する。通信部２９は、さらにＷｉＦｉ（登録商標）又はＢｌｕｅｔｏｏｔｈ（登録商標）、ＺｉｇＢｅｅ、ＩｒＤＡ、ＲＦＩＤ等の通信機能を有していても良い。照明ユニット１０の照射状態などの信号を送信したりＬＥＤ監視カメラ５０が撮影した画像等を基地局のサーバ３００に無線送信したりすることができる。また通信部２９は、基地局のサーバ３００からの指令信号などを受信してその指令信号をメイン制御部２１に送信することもできる。
【００３７】
監視カメラ５０は、魚眼レンズ及びＣＣＤ等の光電変換素子を含むカメラモジュール５２と演算モジュール５４とを備えている。演算モジュール５４は、魚眼レンズで撮影した静止画像もしくは動画像の平面展開、その平面展開された画像をＪＰＥＧ、ＭＸｃｏｄｅｃ等のフォーマットで画像圧縮できる。また演算モジュール５４は、画像圧縮した画像データを記憶媒体２８に記憶させることができる。また演算モジュール５４は、Ｒａｓｐｂｅｒｒｙ  Ｐｉ及び並列処理マルチコアプロセッサーＳｙｎＱｕａｃｅｒなどのコンピュータを組み込んでおり、ＡＩ（artificial intelligence）機能を備え、撮影したデジタル画像を分析、認識、セグメンテーションを、高速、高密度及び低消費電力で処理することが可能である。つまり、監視カメラ５０は、撮影したデジタル画像を解析し、犯罪、交通事故、荷物の置きっぱなし等の異常イベントを検知することができる。なお、画像圧縮等のすべてを演算モジュール５４で実行するのではなく、一部又は全部をメイン制御部２１で担ってもよい。
【００３８】
また、監視カメラ５０は、後述するように、夜間に照明ユニット１０が不充分な照明下で、撮影しなければならない状況がある。そのような場合でも、演算モジュール５４は、ＡＩ機能を使って、デジタル画像に対してノイズ除去、ぼけ除去およびエッジ強調の技術で、低照度の下でも鮮明な画像を作成することができ、これら鮮明なデジタル画像が記録媒体２８に記録されたり通信部２９を介して送信されたりする。
【００３９】
さらに、メイン制御部２１に接続されたスピーカＳＰは、異常イベントを検知した際などに警報音を発したり、音声を発したりする。また、メイン制御部２１に接続されたマイクＭＩＣは、動体物感知センサＭＤＳが動体物を感知した際に又は監視カメラ５０が異常イベントを検知した際に、音を集音する。図示していないが、街路灯用の照明器具１００は、防犯上の設備として、監視カメラ５０の画像に基づいて回転する防犯赤色灯等も備えても良い。
【００４０】
＜街路灯用の照明器具システムの構成＞
以下、図３を使って、照明器具システムについて説明する。本実施形態では、基地局のサーバ３００はＬｏＲａ通信で直接つながることができずＷｉＦｉ通信でつながることを前提としている。
【００４１】
図３に描かれるように、システムは、複数の照明器具１００、ＬｏＲａゲートウェイ２００、オンプレミス又はクラウドのサーバ３００を含む。さらに利用者の有するスマートフォンもしくはパソコン等の端末ＣＰを含んでも良い。ＬｏＲａゲートウェイ２００は、ＬｏＲａ通信２６０以外に、通信ケーブルで接続するためのＬＡＮポートやＷｉＦｉ（登録商標）通信２７０を有していてもよい。ＬｏＲａゲートウェイ２００は、特定のビルもしくは電柱などに配置される。複数の端末ＣＰ（ＣＰ−１、ＣＰ−２及びＣＰ−３）は、４Ｇもしくは５Ｇの移動体通信、ＷｉＦｉ（登録商標）通信又はＢｌｕｅｔｏｏｔｈ（登録商標）ができる。
【００４２】
複数の照明器具１００（１００−１から１００-４）は、例えば２０〜５００ｍ間隔で配置されている。図３では、照明器具１００-１、１００−２及び１００―３がＬｏＲａアンテナ６０を有し、通信部２９としてＬｏＲａ通信ができるようになっている。
【００４３】
このため、照明器具１００-１、１００−２及び１００―３は、カメラ５０が撮影したデジタル画像をＬｏＲａ通信で、ＬｏＲａゲートウェイ２００を介して、基地局のサーバ３００に送信することができる。また基地局のサーバ３００からの指令は、ＬｏＲａゲートウェイ２００を介して、照明器具１００-１、１００−２及び１００―３に伝えられる。
【００４４】
照明器具１００-４は、ＬｏＲａアンテナ６０及びＷｉＦｉアンテナ７０を有し、通信部２９としてＬｏＲａ通信及びＷｉＦｉ通信ができるようになっている。このため照明器具１００-４は、監視カメラ５０が撮影したデジタル画像をＷｉＦｉ通信で、基地局のサーバ３００に送信することができる。また基地局のサーバ３００からの指令は、ＷｉＦｉ通信で照明器具１００-４に伝えられる。照明器具１００-１、１００−２及び１００―３は、ＬｏＲａゲートウェイ２００の代わりに、照明器具１００-４を介して基地局のサーバ３００と通信しても良い。
【００４５】
いずれかの照明器具１００のカメラ５０が、異常イベントを検知した際には、登録済の端末ＣＰに、ＷｉＦｉ通信で、基地局のサーバ３００又は明器具１００-４から緊急メール等が送信される。端末ＣＰを利用している利用者は、異常イベントが発生したことを認知することができる。
【００４６】
＜照明ユニット１０の点灯方法＞
本実施形態の照明ユニット１０の点灯方法について説明する。図４は、照明ユニット１０の点灯方法に関するフローチャートである。
【００４７】
実施形態では、照明器具１００の照明ユニット１０は２通りの点灯方法を有している。利用者は端末ＣＰからウェブブラウザを起動し所定のサイトにアクセスする。そして利用者は、端末ＣＰからＩＤ及びパスワード等を入れて基地局のサーバ３００にアクセスし、複数の照明器具１００のうちの一つ又は２以上の照明器具１００を選択する（ステップＳ１０）。
【００４８】
利用者は、選択した照明器具１００の照明ユニット１０の設定ページにアクセスする。そして、利用者は明るさ点灯方法と時間点灯方法とのいずれか一方を選択できる（ステップＳ１１）。
【００４９】
また、明るさ点灯方法が選択された場合、サーバ３００から照明器具１００のメイン制御部２１に明るさ点灯方法の指令が送信される。そしてメイン制御部２１はフォトレジスタＣＤＳからの信号に基づいて、照明ユニット１０が光を照射する（ステップＳ１２）。
【００５０】
また、時間点灯方法が選択された場合、サーバ３００から照明器具１００のメイン制御部２１に時間点灯方法の指令が送信される。時間点灯方法とは、設置場所に応じた日の入時刻から日の出時刻まで照明ユニット１０が点灯する方法である。日の入時刻の３０分前から日の出時刻の１５分後まで、日の入時刻の２０分後から日の出時刻の２０分前まで等の設定も可能である。そしてメイン制御部２１は日の入時刻及び日の出時刻に基づいて、照明ユニット１０が光を照射する（ステップＳ１３）。
【００５１】
ＬＥＤ調光部２７は、外部の明るさ、時間帯又はバッテリの充電容量（残量）に応じて、二段階、三段階、四段階等で照明ユニット１０の明るさを調光することができる。外部の明るさの調光は、例えば外部の明るさが薄暗くなったとのフォトレジスタＣＤＳからの信号に基づいて、照明ユニット１０が最大輝度の５０％で照明するように調光し、外部の明るさが真っ暗になったとのフォトレジスタＣＤＳからの信号に基づいて、照明ユニット１０が最大輝度の１００％で照明する調光である。時間帯の調光は、例えば日の入り時刻から６時間は最大輝度の１００％で照明し、その後の深夜帯は人通りが少なくなるとして４０％で照明する調光である。バッテリの充電容量による調光は、例えばバッテリの充電容量が大であるとの信号に基づいて、照明ユニット１０が最大輝度の９０％で照明するように調光し、バッテリの充電容量が小であるとの信号に基づいて、照明ユニット１０が最大輝度の３０％で照明する調光である。
【００５２】
＜異常イベントの検知方法、異常イベントの通知方法＞
図５は、第１の照明器具１００−１が異常イベントを検知するフローチャートである。第１の照明器具１００−１の監視カメラ５０は、ＡＩ（artificial intelligence）機能を有しており、異常イベントを検知することができる。また図５は、第１の照明器具１００が異常イベントを検知すると、その周辺に配置された第２の照明器具１００−２にも異常イベントが発生したことを通知し、周辺の人々に異常イベントが発生したことを知らせるフローチャートである。
【００５３】
第１の照明器具１００−１を基準として例えば半径５０ｍから１００ｍ以内が周辺の照明器具であると予め設定されていることが好ましい。このフローチャートの説明では、第１の照明器具１００−１を基準とした周辺に、第２の照明器具１００−２が配置されているとする。もちろん、第１の照明器具１００−１を基準とした周辺に、複数の照明器具が配置されていると設定されてもよい。
【００５４】
第１の照明器具１００−１及び第２の照明器具１００−２は、サーバ３００（図３を参照）から監視カメラ５０が異常イベントを解析するためＡＩ用のデータを受信する。基地局となるオンプレミス又はクラウドのサーバ３００は、複数の照明器具１００からデジタル画像を受信しており、これらデジタル画像を学習させて異常イベントごとにクラス分けしたデータを作成する。これらクラス分けした代表的なデータが、サーバ３００から直接又はＬｏＲａゲートウェイ２００を介して、第１の照明器具１００−１及び第２の照明器具１００−２に受信される（ステップＳ３１）。
【００５５】
第１の照明器具１００−１及び第２の照明器具１００−２の監視カメラ５０は、それぞれに所定時間ごと及び所定の解像度で撮影している（ステップＳ３２）。また撮影に並行して第１の照明器具１００−１及び第２の照明器具１００−２の動体物感知センサＭＤＳは、動体物があれば動体物を感知する（ステップＳ３３）。このフローチャートの説明では、第１の動体物感知センサＭＤＳが動体物を感知して信号を出力しており、第２の照明器具１００−２の動体物感知センサＭＤＳは動体物を感知せず信号を出力しない。動体物を感知しなければ引き続き所定時間ごとの撮影を続ける。なお、第２の照明器具１００−２の動体物を感知して信号を出力した場合のフローチャートは割愛する。
【００５６】
監視カメラ５０は、異常イベントごとにクラス分けしたデータと撮影したデータとを解析して、異常イベントが発生したかを検知する（ステップＳ３４）。イベントが発生していなければ引き続き所定時間ごとの撮影を続ける。監視カメラ５０は例えば、コンボリューショナル  ニューラルネットワーク（ＣＮＮ：Convolutional Neural Network）又はカプセルネットワーク(Capsule Network)等の手法により画像識別することによって、異常イベントが発生したかを検知する。監視カメラ５０による検知には、動体物感知センサＭＤＳによる動体物の感知の信号も使用することで、異常イベントの検知精度を向上させている。クラス分けされた異常イベントには、例えば泥棒・ひったくり、逆走運転や当て逃げ等を含む交通事故、火事、人の喧嘩、指名手配犯の発見、自然災害等が含まれる。
【００５７】
第１の照明器具１００−１監視カメラ５０が異常イベントの発生を検知すると、その信号がメイン制御部２１に送られ、第１の照明器具１００−１のメイン制御部２１は、周辺の照明器具に異常イベントが発生したことを通知する（ステップＳ３５）。第２の照明器具１００−２の動体物感知センサＭＤＳは動体物を感知しておらず、また監視カメラ５０も異常イベントを検知していない。しかし、数秒後もしくは数十秒後に、第２の照明器具１００−２の周辺に、逆走運転の車もしくは泥棒が移動してくることがあり、事前に周囲の住人に知らせたり、事前に高解像度の画像や音などを収集できたりするようにしている。
【００５８】
また第１の照明器具１００−１のメイン制御部２１は、照明ユニット１０に対して、異常イベントが発生したことを周囲の住人等に認知さるため、フラッシュ点滅するように指令したり、スピーカＳＰ（図２を参照）に対して音または音声を発するように指令したりしてもよい。さらにメイン制御部２１は異常イベントの詳細を記録するため、マイクＭＩＣ（図２を参照）に対して集音を指令したり、監視カメラ５０に対して高画質画像の撮影を指令したりしてもよい（ステップＳ３６）。
【００５９】
第２の照明器具１００−２のメイン制御部２１も同様に、照明ユニット１０に対して、異常イベントが発生したことを周囲の住人等に認知さるため、フラッシュ点滅するように指令したり、スピーカＳＰ（図２を参照）に対して音または音声を発するように指令したりしてもよい。さらにメイン制御部２１は異常イベントの詳細を記録するため、マイクＭＩＣ（図２を参照）に対して集音を指令し、監視カメラ５０に対して高画質画像の撮影を指令する（ステップＳ３６）。
【００６０】
また第１の照明器具１００−１のメイン制御部２１は、通信部２０を介して、クラス分けされた異常イベントが発生した情報、例えば、“泥棒・ひったくり”、“交通事故”、“指名手配犯の発見”などクラス分けされた情報を、サーバ３００及び登録された端末ＣＰに送信するように指令する（ステップＳ３７）。
【００６１】
また第１の照明器具１００−１のメイン制御部２１は、通信部２０を介して、監視カメラ５０が撮影した高画質のデジタル画像を送信するように指令し。必要であればマイクＭＩＣが集音した音を送信するように指令する（ステップＳ３８）。
【００６２】
第２の照明器具１００−２のメイン制御部２１も同様に、通信部２０を介して、監視カメラ５０が撮影した高画質のデジタル画像を送信するように指令し。必要であればマイクＭＩＣが集音した音を送信するように指令する（ステップＳ３８）。
【００６３】
＜バッテリの充電容量に基づく監視カメラの撮影方法＞
（照明ユニットが点灯していない時間帯）
図６は、照明器具１００の照明ユニット１０が点灯していない昼間の時間帯に、バッテリの充電容量に基づいて、どのように監視カメラ５０等が動作するかを説明したフローチャートである。
【００６４】
実施形態において、メイン制御部２１はバッテリＢＡＴのフル充電容量に対して３つの充電容量の基準値を有している。１つの基準値はフル充電容量に対して６０％の基準値、２つの基準値はフル充電容量に対して３０％の基準値、３つの基準値はフル充電容量に対して１０％の基準値である。なお、外部電源ＡＣのインフラが整備されている場合には、メイン制御部２１からの指令に基づき、ＡＣ／ＤＣ回路２５が外部電源ＡＣからバッテリＢＡＴを充電するようにする。つまり、照明器具１００が外部電源ＡＣ及びＡＣ／ＤＣ回路２５を備える場合には、バッテリＢＡＴの充電容量が３０％を下回ることはなく、３つの基準値を有していなくてもよい。
【００６５】
以下、照明器具１００が外部電源ＡＣ及びＡＣ／ＤＣ回路２５を備えない場合を説明する。なお、図５で説明したステップＳ３５及びＳ３７の動作については、図６では説明を割愛する。
【００６６】
バッテリＢＡＴのフル充電容量に対して６０％以上の充電容量がある場合（ステップＳ１００）、メイン制御部２１は監視カメラ５０に高画質撮影で１秒当たり３枚の撮影を指令する（ステップＳ１０１）。そしてメイン制御部２１は、動体物感知センサＭＤＳが動体物を感知した信号、且つ撮影した高画質の画像から監視カメラ５０が異常イベントを検知した信号を待機している（ステップＳ１０２）。
【００６７】
メイン制御部２１が動体物の感知信号及び異常イベントの検知信号を受け取らない場合には、メイン制御部２１は、通信部引き続き監視カメラ５０が撮影している高画質撮影の画像を、通信部２９に１秒当たり３枚の送信するように指令する（ステップＳ１０３）。なお、本実施形態では、ＬｏＲａ通信を行っているため、通信速度と高画質画像とを両立させる最大送信枚数が４枚／秒である。本実施形態では、画像以外の情報データをＬｏＲａ通信で送信することを考慮して、最大送信枚数の送信をしていない。
【００６８】
メイン制御部２１が動体物の感知信号及び異常イベントの検知信号を受け取った場合には、何か異常イベントが発生していることを人に知らせるため、メイン制御部２１は照明ユニット１０に、所定時間例えば１０秒から３０秒、フラッシュ点滅するように指令する。本実施形態のフラッシュ点滅とは、例えば照明ユニット１０が高輝度で行う０．１秒から０．２秒の点滅である。また照明器具１００がスピーカＳＰを有している際には、メイン制御部２１は音または音声を発するようにスピーカＳＰに指令する（ステップＳ１０４）。さらにメイン制御部２１は高画質撮影で１秒当たり５枚の撮影、又は動画撮影を監視カメラ５０に指令する（ステップＳ１０５）。また照明器具１００がマイクＭＩＣを備える場合には、メイン制御部２１はマイクＭＩＣの稼働を指令しても良い。撮影された高画質の画像又は動画は記憶媒体２８に記憶される。さらにメイン制御部２１は１秒当たり３枚で高画質の画像の送信を通信部２９に指令する（ステップＳ１０６）。
【００６９】
バッテリＢＡＴのフル充電容量に対して３０％以上６０％未満の充電容量がある場合（ステップＳ２００）、メイン制御部２１は低画質撮影で１秒当たり３枚の撮影を監視カメラ５０に指令する（ステップＳ２０１）。そしてメイン制御部２１は、動体物感知センサＭＤＳが動体物を感知しない場合には（ステップＳ２０２）、低画質撮影の画像を１秒当たり３枚で送信するように通信部２９に指令する（ステップＳ２０３）。
【００７０】
メイン制御部２１が動体物の感知信号受け取った場合（ステップＳ２０２）には、メイン制御部２１は、所定時間例えば１０秒から３０秒、監視カメラ５０に高画質撮影で１秒当たり３枚の撮影を指令する（ステップＳ２０４）。そしてメイン制御部２１が異常イベントの検知信号を受け取らない場合には（ステップＳ２０５）、メイン制御部２１は、所定時間、監視カメラ５０が撮影している高画質撮影の画像を、１秒当たり３枚の送信するように通信部２９に指令する（ステップＳ２０６）。
【００７１】
メイン制御部２１が異常イベントの検知信号を受け取った場合には（ステップＳ２０５）、メイン制御部２１は照明ユニット１０に、所定時間例えば１０秒から３０秒、フラッシュ点滅するように指令する。また照明器具１００がスピーカＳＰを有している際には、メイン制御部２１は音または音声を発するようにスピーカＳＰに指令する（ステップＳ２０７）。さらにメイン制御部２１は高画質撮影で１秒当たり５枚の撮影、又は動画撮影を監視カメラ５０に指令する（ステップＳ２０８）。撮影された高画質の画像又は動画は記憶媒体２８に記憶される。さらにメイン制御部２１は１秒当たり３枚で高画質の画像の送信を通信部２９に指令する（ステップＳ２０９）。
【００７２】
バッテリＢＡＴのフル充電容量に対して１０％以上３０％未満の充電容量がある場合（ステップＳ３００）、メイン制御部２１は低画質撮影で１秒当たり２枚の撮影を監視カメラ５０に指令する（ステップＳ３０１）。そしてメイン制御部２１は、動体物感知センサＭＤＳが動体物を感知しない場合には（ステップＳ３０２）、低画質撮影の画像を１秒当たり１枚で送信するように通信部２９に指令する（ステップＳ３０３）。少なくとも送られていない低画質の画像は記憶媒体２８に記憶される。
【００７３】
メイン制御部２１が動体物の感知信号受け取った場合（ステップＳ３０２）には、メイン制御部２１は、所定時間例えば１０秒から３０秒、監視カメラ５０に高画質撮影で１秒当たり２枚の撮影を指令する（ステップＳ３０４）。そしてメイン制御部２１が異常イベントの検知信号を受け取らない場合には（ステップＳ３０５）、メイン制御部２１は、所定時間、監視カメラ５０が撮影している高画質撮影の画像を、１秒当たり１枚の送信するように通信部２９に指令する（ステップＳ３０６）。
【００７４】
メイン制御部２１が異常イベントの検知信号を受け取った場合には（ステップＳ３０５）、メイン制御部２１は照明ユニット１０に、所定時間例えば１０秒から３０秒、フラッシュ点滅するように指令し、またメイン制御部２１は音または音声を発するようにスピーカＳＰに指令する（ステップＳ３０７）。さらにメイン制御部２１は高画質撮影で１秒当たり３枚の撮影を監視カメラ５０に指令する（ステップＳ３０８）。さらにメイン制御部２１は１秒当たり３枚で高画質の画像の送信を通信部２９に指令する（ステップＳ３０９）。バッテリＢＡＴのフル充電容量に対して３０％以上６０％未満の充電容量がある場合と比べて、撮影枚数や送信枚数を減らして電力消費を少なくするとともに、動体物の感知又は異常イベントの検知では、できるだけ情報を得ることができるようにしている。
【００７５】
バッテリＢＡＴのフル充電容量に対して１０％未満の充電容量がある場合（ステップＳ４００）、メイン制御部２１は低画質撮影で１秒当たり１枚の撮影を監視カメラ５０に指令する（ステップＳ４０１）。そしてメイン制御部２１は、動体物感知センサＭＤＳが動体物を感知しない場合には（ステップＳ４０２）、低画質撮影の画像を送信せず低画質の画像は記憶媒体２８に記憶される（ステップＳ４０３）。
【００７６】
メイン制御部２１が動体物の感知信号受け取った場合（ステップＳ４０２）には、メイン制御部２１は、所定時間例えば１０秒から３０秒、監視カメラ５０に高画質撮影で１秒当たり１枚の撮影を指令する（ステップＳ４０４）。そしてメイン制御部２１が異常イベントの検知信号を受け取らない場合には（ステップＳ４０５）、高画質撮影の画像を送信せず高画質の画像は記憶媒体２８に記憶される（ステップＳ４０６）。
【００７７】
メイン制御部２１が異常イベントの検知信号を受け取った場合には（ステップＳ４０５）、メイン制御部２１は照明ユニット１０に、所定時間例えば１０秒から３０秒、フラッシュ点滅するように指令し、またメイン制御部２１は音または音声を発するようにスピーカＳＰに指令する（ステップＳ４０７）。さらにメイン制御部２１は高画質撮影で１秒当たり１枚の撮影を監視カメラ５０に指令する（ステップＳ４０８）。さらにメイン制御部２１は１秒当たり１枚で高画質の画像の送信を通信部２９に指令する（ステップＳ４０９）。撮影枚数や送信枚数を減らして電力消費を少なくするとともに、動体物の感知又は異常イベントの検知では、できるだけ情報を得ることができるようにしている。
【００７８】
（照明ユニットが点灯している時間帯）
図７は、照明器具１００の照明ユニット１０が点灯している夜間の時間帯に、バッテリの充電容量に基づいて、どのように監視カメラ５０等が動作するかを説明したフローチャートである。
【００７９】
図４で説明したように、ＬＥＤ調光部２７は、外部の明るさ、時間帯又はバッテリの充電容量に応じて、二段階、三段階、四段階等で照明ユニット１０の明るさを調光することができる。図７のフローチャートにおいては、バッテリＢＡＴの充電容量に応じて照明ユニット１０が三段階に調光される前提で説明する。
【００８０】
実施形態において、メイン制御部２１はバッテリＢＡＴのフル充電容量に対して３つの充電容量の基準値を有している。１つの基準値はフル充電容量に対して７０％の基準値、２つの基準値はフル充電容量に対して４０％の基準値、３つの基準値はフル充電容量に対して２０％の基準値である。本実施形態では、照明ユニットが点灯していない時間帯と照明ユニットが点灯している時間帯とで、３つの基準値をそれぞれ変更している。昼間はソーラーパネル３０による給電があること且つ夜間は照明ユニット１０が電力消費することを考慮して、照明ユニットが点灯している時間帯の基準値を上げている。なお、図７の外部電源ＡＣ及びＡＣ／ＤＣ回路２５に関しては、図６で説明した動作と同じである。
【００８１】
バッテリＢＡＴのフル充電容量に対して７０％以上の充電容量がある場合（ステップＳ１５０）、メイン制御部２１は最大輝度の１００％から８０％の高輝度で照明するようにＬＥＤ調光部２７に指令する（ステップＳ１５１）。その後のステップＳ１５２からステップＳ１５７までは、図６のステップＳ１０１からステップＳ１０６と同じである。動体物を感知したり異常イベントを検知したりした際には、高輝度照明又は高輝度の点滅照明のもとで監視カメラ５０による高画質撮影される。
【００８２】
バッテリＢＡＴのフル充電容量に対して４０％以上７０％未満の充電容量がある場合（ステップＳ２５０）、メイン制御部２１は最大輝度の７０％から４０％の中輝度で照明するようにＬＥＤ調光部２７に指令する（ステップＳ２５１）。その後のステップＳ２５２からステップＳ２５４までは、図６のステップＳ２０１からステップＳ２０３と同じである。
【００８３】
メイン制御部２１が動体物の感知信号受け取った場合（ステップＳ２５３）には、メイン制御部２１は、高輝度で照明するようにＬＥＤ調光部２７に指令する（ステップＳ２５５）。ステップＳ２５６からステップＳ２６１までは、図６のステップＳ２０４からステップＳ２０９と同じである。つまり動体物を感知したり異常イベントを検知したりした際には、高輝度照明又は高輝度の点滅照明のもとで監視カメラ５０による高画質撮影される。
【００８４】
バッテリＢＡＴのフル充電容量に対して２０％以上４０％未満の充電容量がある場合（ステップＳ３５０）、メイン制御部２１は最大輝度の３０％から１０％の低輝度で照明するようにＬＥＤ調光部２７に指令する（ステップＳ３５１）。その後のステップＳ３５２からステップＳ３５４までは、図６のステップＳ３０１からステップＳ３０３と同じである。
【００８５】
メイン制御部２１が動体物の感知信号受け取った場合（ステップＳ３５３）には、メイン制御部２１は中輝度で照明するようにＬＥＤ調光部２７に指令する（ステップＳ３５５）。ステップＳ３５６からステップＳ３６１までは、図６のステップＳ３０４からステップＳ３０９と同じである。動体物を感知した際は、中輝度照明のもとで監視カメラ５０による高画質撮影される。異常イベントを検知したりした際には、高輝度の点滅照明のもとで監視カメラ５０による高画質撮影される。
【００８６】
バッテリＢＡＴのフル充電容量に対して２０％未満の充電容量がある場合（ステップＳ４５０）、メイン制御部２１は低輝度で照明するようにＬＥＤ調光部２７に指令する（ステップＳ４５１）。その後のステップＳ４５２からステップＳ４５４までは、図６のステップＳ４０１からステップＳ４０３と同じである。
【００８７】
メイン制御部２１が動体物の感知信号受け取った場合（ステップＳ４５３）には、メイン制御部２１は、メイン制御部２１は中輝度で照明するようにＬＥＤ調光部２７に指令する（ステップＳ４５５）。ステップＳ４５６からステップＳ４６１までは、図６のステップＳ４０４からステップＳ４０９と同じである。つまり動体物を感知した際は、中輝度照明のもとで監視カメラ５０による高画質撮影される。異常イベントを検知したりした際には、高輝度の点滅照明のもとで監視カメラ５０による高画質撮影される。
【符号の説明】
【００８８】
１０…照明ユニット
２０…制御ユニット
２１…メイン制御部、  ２３…ソーラー充電回路、  ２５…ＡＣ／ＤＣ充電回路、  ２７…ＬＥＤ調光部、  ２８…記録媒体、  ２９…通信部
３０…ソーラーパネル、  ５０…監視カメラ、  ５４…演算モジュール、  
６０…ＬｏＲａアンテナ、  ７０…ＷｉＦｉアンテナ
１００…照明器具
２００…ＬｏＲａゲートウェイ
３００…サーバ
ＣＤＳ…フォトレジスタ、  ＭＤＳ…動体物感知センサ
ＣＰ…端末、  ＳＰ…スピーカ、  ＭＩＣ…マイク、  ＢＡＴ…バッテリ
【図１】
2020129492.tif 000003
【図２】
2020129492.tif 000004
【図３】
2020129492.tif 000005
【図４】
2020129492.tif 000006
【図５】
2020129492.tif 000007
【図６】
2020129492.tif 000008
【図７】
2020129492.tif 000009